【手続補正書】
【提出日】平成16年4月12日(2004.4.12)
【手続補正１】
【補正対象書類名】明細書
【補正対象項目名】特許請求の範囲
【補正方法】変更
【補正の内容】
【特許請求の範囲】
【請求項１】  デジタル通信システムにおいて、送信器から受信器へシグナリング情報を送信する方法であって
データに加えて、前記送信器から前記受信器に転送される複数の情報信号の１つを識別する工程と、
共通位相回転因子によって１つ又は複数の符号の各々を回転する工程と、前記位相回転因子は前記送信器から前記受信器に転送されるべき前記情報信号の１つを固有に識別し、
前記受信器へ１つ又は複数の位相回転された符号の各々を送信する工程と
を備えることを特徴とする方法。
【請求項２】  前記受信器において、前記１つ又は複数の位相回転符号を含む信号を受信する工程と、
前記位相回転符号に対応する前記受信信号のサンプルを生成する工程と、
前記１つ又は複数の符号の各々と関連する値を復元するために前記サンプルを逆回転する工程と、
前記１つ又は複数の符号の各々と関連づけて復元するために必要な前記位相回転因子によって、前記送信器から前記受信器へ転送される前記情報信号の１つを識別する工程と
を更に備えることを特徴とする請求項１に記載の方法。
【請求項３】  前記情報信号は、複数の信号電力制御命令の１つを表している
ことを特徴とする請求項１に記載の方法。
【請求項４】  前記情報信号は、複数の変調スキームの１つを表している
ことを特徴とする請求項１に記載の方法。
【請求項５】  前記情報信号は、符号化情報を表している
ことを特徴とする請求項１に記載の方法。
【請求項６】  前記１つ又は複数の符号は、トレーニング符号である
ことを特徴とする請求項１に記載の方法。
【請求項７】  前記１つ又は複数の符号は、トレーニング及びデータ符号の両方を含む
ことを特徴とする請求項１に記載の方法。
【請求項８】  デジタル通信システムにおいて、送信器から受信器に変調情報を転送する方法であって、
複数の変調スキームの１つを選択する工程と、
前記複数の変調スキームから選択された１つに従ってトレーニング符号のシーケンスを変調する工程と、
前記複数の変調スキームから選択された１つに対応する位相回転因子を識別する工程と、少なくとも１つの固有位相回転因子は前記複数の変調スキームの各々と関連付けられており、
前記複数の変調スキームから選択された１つと対応する前記識別された位相回転因子によって、前記トレーニング符号の各々の位相を回転する工程と、
前記位相回転トレーニング符号のシーケンスを前記受信器に送信する工程と、
前記受信器において、各位相回転因子によって、前記受信した位相回転トレーニング符号のシーケンスを逆回転することにより、各位相回転因子に対する逆回転トレーニング符号のシーケンスを生成する工程と、
逆回転トレーニング符号のシーケンスの各々と期待トレーニング符号のシーケンスとを比較する工程と、
前記期待トレーニング符号のシーケンスに最も正確に近い逆回転トレーニング符号のシーケンスを識別する工程と、
前記期待トレーニング符号のシーケンスに最も正確に近い前記逆回転トレーニング符号のシーケンスを生成した前記位相回転因子に基づいて前記複数の変調スキームから選択された１つを識別する工程と
を備えることを特徴とする方法。
【請求項９】  逆回転トレーニング符号のシーケンスの各々に対するチャネル推定を導出する工程と、
逆回転トレーニング符号のシーケンスの各々と前記期待トレーニング符号のシーケンスとを比較する前に、比較対象とする前記期待トレーニング符号のシーケンスと、前記逆回転トレーニング符号のシーケンスに対応して前記導出されたチャネル推定によって、前記期待トレーニング符号のシーケンスを調整する工程と
を更に備えることを特徴とする請求項８に記載の方法。
【請求項１０】  前記複数の変調スキームの１つを選択する工程は、リンク特性適合査定の機能である
ことを特徴とする請求項８に記載の方法。
【請求項１１】  前記送信器から前記受信器に送信される前記トレーニング符号のシーケンスは、２つ又はそれ以上の変調スキームに対し同じである
ことを特徴とする請求項８に記載の方法。
【請求項１２】  前記複数の変調スキームから選択された１つは、ガウス最小シフトキーイングに関係している
ことを特徴とする請求項８に記載の方法。
【請求項１３】  前記複数の変調スキームから選択された１つは、４位相シフトキーイングに関係する
ことを特徴とする請求項８に記載の方法。
【請求項１４】  前記複数の変調スキームから選択された１つは、８位相シフトキーイングに関係する
ことを特徴とする請求項８に記載の方法。
【請求項１５】  デジタル通信システムにおいて、送信器から受信器へデータと一緒に送信されるシグナリング情報を識別する方法であって、
前記送信器から送信された符号のシーケンスを含む信号を受信する工程と、前記符号はトレーニング符号とデータ符号を含み、前記符号のシーケンス中の各符号と関連する位相は前記シグナリング情報に対応する共通位相回転因子に従って前記送信器で回転されており、
前記送信された符号のシーケンスに対応するサンプルを前記受信信号から生成する工程と、
前記共通位相回転因子に従って前記サンプルを逆回転することによって前記送信された符号のシーケンスを復元する工程と、
前記送信された符号のシーケンスを復元するために使用される前記共通位相回転因子によって、前記シグナリング情報を識別する工程と
を備えることを特徴とする方法。
【請求項１６】  複数の異なる位相回転因子に従って前記サンプルの各々を逆回転する工程と、前記複数の異なる位相回転因子の各々は異なるシグナリング情報に対応し、前記異なる位相回転因子の各々に従う前記サンプルの逆回転は、前記異なる位相回転因子の各々に対する逆回転サンプルのシーケンスとなり、
逆回転サンプルのシーケンスの各々と期待符号のシーケンスと比較する工程と、
前記期待符号のシーケンスに最も適合する前記逆回転サンプルのシーケンスと関連する前記位相回転因子を識別する工程と
を備えることを特徴とする方法。
【請求項１７】  デジタル通信システムにおいて、送信器から受信器にシグナリング情報を送信する装置であって、
データに加えて、前記送信器から前記受信器へ転送される複数の情報信号の１つを識別する手段と、
１つ又は複数の符号の各々を共通位相回転因子により回転する手段と、前記位相回転因子は前記送信器から前記受信器に転送される前記情報信号の１つを固有に識別し、
前記１つ又は複数の位相回転符号の各々を前記受信器に送信する手段と
を備えることを特徴とする装置。
【請求項１８】  前記受信器において、前記１つ又は複数の位相回転符号を含む信号を受信する手段と、
前記位相回転符号に対応する前記受信信号のサンプルを生成する手段と、
前記１つ又は複数の符号の各々に関連する値を復元するために前記サンプルを逆回転する手段と、
前記１つ又は複数の符号の各々と関連する値を復元するために必要な前記位相回転因子によって、前記送信器から前記受信器に伝送される前記情報信号の１つを識別する手段と
を更に備えることを特徴とする請求項１７に記載の装置。
【請求項１９】  前記情報信号は、複数の信号電力制御命令の１つを表している
ことを特徴とする請求項１７に記載の装置。
【請求項２０】  前記情報信号は、複数の変調スキームの１つを表している
ことを特徴とする請求項１７に記載の装置。
【請求項２１】  前記情報信号は、符号化情報を表している
ことを特徴とする請求項１７に記載の装置。
【請求項２２】  前記１つ又は複数の符号は、トレーニング符号である
ことを特徴とする請求項１７に記載の装置。
【請求項２３】  前記１つ又は複数の符号は、トレーニング及びデータ符号の両方を含む
ことを特徴とする請求項１７に記載の装置。
【請求項２４】  デジタル通信システムにおいて、送信器から受信器に変調情報を転送する装置であって、
複数の変調スキームの１つを選択する手段と、
前記複数の変調スキームから選択された１つに従ってトレーニング符号のシーケンスを変調する手段と、
前記複数の変調スキームから選択された１つに対応する位相回転因子を識別する手段と、少なくとも１つの固有位相回転因子は前記複数の変調スキームの各々と関連付けられており、
前記複数の変調スキームから選択された１つと対応する前記識別された位相回転因子によって、前記トレーニング符号の各々の位相を回転する手段と、
前記位相回転トレーニング符号のシーケンスを前記受信器に送信する手段と、
前記受信器において、各位相回転因子によって、前記受信した位相回転トレーニング符号のシーケンスを逆回転することにより、各位相回転因子に対する逆回転トレーニング符号のシーケンスを生成する手段と、
逆回転トレーニング符号のシーケンスの各々と期待トレーニング符号のシーケンスとを比較する手段と、
前記期待トレーニング符号のシーケンスに最も正確に近い逆回転トレーニング符号のシーケンスを識別する手段と、
前記期待トレーニング符号のシーケンスに最も正確に近い前記逆回転トレーニング符号のシーケンスを生成した前記位相回転因子に基づいて前記複数の変調スキームから選択された１つを識別する手段と
を備えることを特徴とする装置。
【請求項２５】  逆回転トレーニング符号のシーケンスの各々に対するチャネル推定を導出する手段と、
逆回転トレーニング符号のシーケンスの各々と前記期待トレーニング符号のシーケンスとを比較する前に、比較対象とする前記期待トレーニング符号のシーケンスと、前記逆回転トレーニング符号のシーケンスに対応して前記導出されたチャネル推定によって、前記期待トレーニング符号のシーケンスを調整する手段と
を更に備えることを特徴とする請求項２４に記載の装置。
【請求項２６】  前記複数の変調スキームの１つを選択する手段は、リンク特性適合査定の機能である
ことを特徴とする２４に記載の装置。
【請求項２７】  前記送信器から前記受信器に送信される前記トレーニング符号のシーケンスは、２つ又はそれ以上の変調スキームに対し同じである
ことを特徴とする２４に記載の装置。
【請求項２８】  前記複数の変調スキームから選択された１つは、ガウス最小シフトキーイングに関係している
ことを特徴とする２４に記載の装置。
【請求項２９】  前記複数の変調スキームから選択された１つは、４位相シフトキーイングに関係する
ことを特徴とする２４に記載の装置。
【請求項３０】  前記複数の変調スキームから選択された１つは、８位相シフトキーイングに関係する
ことを特徴とする２４に記載の装置。
【請求項３１】  デジタル通信システムにおいて、送信器から受信器へデータと一緒に送信されるシグナリング情報を識別する装置であって、
前記送信器から送信された符号のシーケンスを含む信号を受信する手段と、前記符号はトレーニング符号とデータ符号を含み、前記符号のシーケンス中の各符号に関連する位相は前記シグナリング信号情報と対応する共通位相回転因子に従って前記送信器で回転されており、
前記送信された符号のシーケンスに対応するサンプルを前記受信信号から生成する手段と、
前記共通位相回転因子に従ってサンプルを逆回転することによって前記送信された符号のシーケンスを復元する手段と、
前記送信された符号のシーケンスを復元するために使用される前記共通位相回転因子によって、前記シグナリング情報を識別する手段と
を備えることを特徴とする装置。
【請求項３２】  複数の異なる位相回転因子に従って前記サンプルの各々を逆回転する手段と、前記複数の異なる位相回転因子の各々は異なるシグナリング情報に対応し、前記異なる位相回転因子の各々に従う前記サンプルの逆回転は、前記異なる位相回転因子の各々に対する逆回転サンプルのシーケンスとなり、
逆回転サンプルのシーケンスの各々と期待符号のシーケンスとを比較する手段と、
前記期待符号のシーケンスに最も適合する前記逆回転サンプルのシーケンスと関連する前記位相回転因子を識別する手段と
を備えることを特徴とする装置。
【手続補正２】
【補正対象書類名】明細書
【補正対象項目名】０００９
【補正方法】変更
【補正の内容】
【０００９】
理想的には、受信器がある特定の情報バーストに関連する変調スキームを送信器から事前シグナリングせずに決定しうるべきであり、この事前シグナリングは帯域幅損失および送信遅延を導入するからである。また、等化プロセスは複雑で変調に依存するので、受信器はチャネル推定プロセス中に（即ち、等化プロセス以前に）変調スキームを決定しうるべきである。さらには、受信器は、各または少なくとも２つまたはそれ以上の変調スキームが同じトレーニングシーケンスおよび符号率を用いるという事実に依存しない変調スキームを検出しうるべきである。
【手続補正３】
【補正対象書類名】明細書
【補正対象項目名】００１５
【補正方法】変更
【補正の内容】
【００１５】
本発明の構成に従って、上記およびその他の目的が、変調情報を送信器から受信器へ転送する方法および／または装置により達成される。この方法および／または装置は、複数の変調スキームの１つを選定し、選定された複数の変調スキームの１つに従ってトレーニング符号のシーケンスを変調することに関係する。次に、位相回転因子が識別され、これは選定された複数の変調スキームの１つに対応し、少なくとも固有位相回転因子は複数の変調スキームの各々に関連する。それぞれのトレーニング符号の位相は、選定された複数の変調スキームの１つに対応する識別された位相回転因子によって回転され、そして、位相回転されたトレーニング符号のシーケンスは受信器へ送信される。受信器においては、逆回転トレーニング符号のシーケンスが、受信した位相回転されたトレーニング符号のシーケンスを各位相回転因子によって逆回転することによって各々の位相回転因子に対し生成される。逆回転トレーニング符号の各シーケンスは、次に、期待トレーニング符号のシーケンスと比較され、その期待トレーニング符号のシーケンスにもっとも正確に近い逆回転トレーニング符号のシーケンスが識別される。そして、選定された複数の変調スキームの１つは、期待トレーニング符号のシーケンスに最も正確に近い逆回転トレーニング符号のシーケンスを生成した位相回転因子に基づいて識別される。
【手続補正４】
【補正対象書類名】明細書
【補正対象項目名】００１６
【補正方法】変更
【補正の内容】
【００１６】
本発明のさらに別の構成に従って、上記およびその目的が、送信器から受信器へデータと共に送信されるシグナリング情報を識別する方法および／または装置により達成される。この方法および／または装置は、送信器から送信される符号のシーケンスを含む信号を受信することに関係し、その符号はトレーニング符号およびデータ符号を含み、そして、符号のシーケンス中の各符号に関連する位相はシグナリング情報に対応する共通位相回転因子に従って送信器で回転されている。送信された符号のシーケンスに対応するサンプルが受信信号から生成される。次に、送信された符号のシーケンスが共通位相回転因子に従ってサンプルを逆回転することによって復元され、そして、シグナリング情報は送信された符号のシーケンスを復元するために使用される共通位相回転因子によって識別される。
【手続補正５】
【補正対象書類名】明細書
【補正対象項目名】００２８
【補正方法】変更
【補正の内容】
【００２８】
図３Ｂは目的の受信器３２５を構成する機能構成を示している。最初に、受信信号（即ち、トレーニング符号を含むアナログ符号）は受信器フィルタ３３０によりフィルタリングされ、そして、トレーニング符号に対応するサンプルが生成され、いくつかの位相逆回転モジュール、例えば、位相逆回転モジュール３３５に送信される。名称が示しているように、位相逆回転モジュールのそれぞれは、位相回転因子１−Ｒの１つによって受信トレーニングサンプルを逆回転する。従って、各逆回転モジュールは一組の逆回転トレーニングサンプルを生成する。チャネル推定機能、例えば、チャネル推定機能３４０は、次に、対応する一組の逆回転トレーニングサンプルに基づいてチャネル推定を行う。チャネルフィルタリング機能、例えば、チャネルフィルタリング機能３４５は、次に、期待トレーニングシーケンス３５０を対応するチャネル推定の機能で調整する。調整済みの期待トレーニングシーケンスは、次に、対応するエラー信号、例えば、エラー信号３５５を生成するために対応する一組の逆回転トレーニングサンプルと比較される。各一組の逆回転トレーニングサンプルに関連するエラー信号は、そこで比較され、そして、最小量のエラーに関連する変調スキームが識別される。チャネル推定後、識別された変調スキームに関連する位相回転因子を使用して本バーストデータに関連する情報／データサンプルが逆回転される。